(57)【特許請求の範囲】
【請求項１】
クリーニングブラシ（１）と、
給水口を有する少なくとも１つの貯水チャンバとを備え、
前記少なくとも１つの貯水チャンバは、２つの向かい合って配置されたローラを含む少なくとも１つの洗濯脱水装置（２１）を備え、
前記クリーニングブラシ（１）は、洗濯および脱水用に前記２つの向かい合って配置されたローラの間に置くことが可能に構成されている、
自動車用ポータブルクリーニング装置。
【請求項２】
前記貯水チャンバは、仕切り（２３）を介して連結された少なくとも２つの貯水室（２）を含み、前記貯水室（２）のそれぞれは、少なくとも１つの前記洗濯脱水装置（２１）を備える、
請求項１の自動車用ポータブルクリーニング装置。
【請求項３】
前記貯水チャンバは、仕切り（２３）を介して連結されたクリーニングブラシ洗濯室（４）と貯水容器（５）を含み、前記クリーニングブラシ洗濯室（４）は第１水管（５５）を通じて前記貯水容器（５）と連通し、
前記クリーニングブラシ洗濯室（４）は内部に少なくとも１つの前記洗濯脱水装置（２１）を備え、
前記貯水容器（５）は、圧縮空気装置と第２水管（５４）を備え、前記第２水管（５４）はスイッチ（５６）を介して前記第１水管（５５）に接続され、前記スイッチ（５６）が開かれると、前記圧縮空気装置は前記貯水容器（５）内の水を前記クリーニングブラシ洗濯室（４）に押し込む、
請求項１の自動車用ポータブルクリーニング装置。
【請求項４】
前記貯水室（２）または前記クリーニングブラシ洗濯室（４）の給水口は、第１上部カバー（２２）を備え、
前記クリーニングブラシ（１）はブラシ本体（１２）と、前記ブラシ本体（１２）上に配置された複数のクリーニングヘッド（１３）と、ハンドル（１１）とを備え、前記ハンドル（１１）は前記第１上部カバー（２２）から外に延びた位置に置かれることが可能に構成されている、
請求項２または３の自動車用ポータブルクリーニング装置。
【請求項５】
前記ブラシ本体（１２）は矩形板状の物体で、両側に配置されたクリーニングヘッド（１３）を有し、
前記洗濯脱水装置（２１）は、２つの円筒形の第１ローラ（２１６）を含み、
前記貯水室（２）またはクリーニングブラシ洗濯室（４）は、側壁に前記ブラシ本体（１２）の幅方向に２つの向かい合って配置された第１ローラ軸（２１５）を備え、前記第１ローラ（２１６）は前記第１ローラ軸（２１５）にスリーブ状に被せられ、前記クリーニングブラシ（１）は、２つの前記第１ローラ（２１６）の間に置かれ、前記ブラシ本体（１２）から前記第１ローラ（２１６）までの間隔は、前記クリーニングヘッド（１３）の長さより短い、
請求項４の自動車用ポータブルクリーニング装置。
【請求項６】
前記ブラシ本体（１２）は円筒形であり、前記クリーニングヘッド（１３）は前記ブラシ本体（１２）に沿って軸方向に均等に配置され、
前記洗濯脱水装置（２１）は第２ローラ（２１１）と第３ローラ（２１２）を備え、前記第２ローラ（２１１）と前記第３ローラ（２１２）は、半円を母線とする半円筒形であり、前記貯水室（２）または前記クリーニングブラシ洗濯室（４）の側壁に固定された第２ローラ軸（２１３）および第３ローラ軸（２１４）にスリーブ状に被せられ、
前記第２ローラ（２１１）と前記第３ローラ（２１２）は、円形貫通スロットに組み立てられ、その内部には前記クリーニングブラシ（１）が収容され、前記貫通スロットの直径は、前記ブラシ本体（１２）の直径より大きく、前記クリーニングブラシ（１）の外径より小さい、
請求項４の自動車用ポータブルクリーニング装置。
【請求項７】
前記貯水チャンバは、その両側に接続される運搬用ハンドル（３）をさらに備える、
請求項２の自動車用ポータブルクリーニング装置。
【請求項８】
前記貯水容器（５）は、前記給水口の上に第２上部カバー（５１）を備え、前記圧縮空気装置が長手方向に貫通して前記第２上部カバー（５１）と一体に組み立てられ、前記第２上部カバー（５１）は前記貯水容器（５）の上部に取り外し可能に密封するように接続される、
請求項３の自動車用ポータブルクリーニング装置。
【請求項９】
前記圧縮空気装置は、前記貯水容器（５）に配置された空気容器（５２）と、前記第２上部カバー（５１）上に配置された把手（５３）と、ピストンロッドとピストンとを備え、前記ピストンロッドは、一端で前記把手（５３）に接続され、他端で前記ピストンに接続され、前記ピストンは前記空気容器（５２）内に配置される、
請求項８の自動車用ポータブルクリーニング装置。
【請求項１０】
前記貯水容器（５）は、上部に握り部分（５７）をさらに備える、
請求項９の自動車用ポータブルクリーニング装置。
【発明の詳細な説明】
【技術分野】
【０００１】
本発明は、クリーニング装置の技術分野に関し、特に自動車用ポータブルクリーニング装置に関する。
【背景技術】
【０００２】
乗り物のクリーニング、特に小さな乗り物、とりわけ自動車のクリーニングは、現在のところ定期的な作業となっている。非常に汚れた乗り物の場合、普通は洗車場で洗車しなければならない。通常、定期的なクリーニング用に自動車には、水を含まない綿ブラシが置かれている。しかし、そのようなブラシは濡れやすく、洗濯するのに不便である。
【発明の概要】
【発明が解決しようとする課題】
【０００３】
上記の問題を解決するために、本発明の目的は、構造的にシンプルであり、持ち運びに便利で、いつでも自動車をクリーニングできる自動車用ポータブルクリーニング装置を提供することにある。
【課題を解決するための手段】
【０００４】
当該技術分野における上記課題を解決するために、本発明により提供される技術的解決法は、次のとおりである。
【０００５】
クリーニングブラシと給水口を有する少なくとも１つの貯水チャンバとを備え、少なくとも１つの貯水チャンバは、向かい合って配置された２つのローラを含む、少なくとも１つの洗濯脱水装置を備え、クリーニングブラシは、洗濯および脱水のために向かい合って配置された２つのローラの間に置くことが可能に構成されている、自動車用ポータブルクリーニング装置。
【０００６】
好ましくは、貯水チャンバは、仕切りを介して接続された少なくとも２つの貯水室を含み、各貯水室は少なくとも１つの洗濯脱水装置を備える。
【０００７】
好ましくは、貯水チャンバは、仕切りを介して接続されたクリーニングブラシ洗濯室と貯水容器を含み、クリーニングブラシ洗濯室は第１水管を通じて貯水容器に連通し、クリーニングブラシ洗濯室は内部に少なくとも１つの洗濯脱水装置を備え、貯水容器は圧縮空気装置と第２水管を備え、第２水管はスイッチを介して第１水管と接続され、圧縮空気装置は、スイッチが開かれると貯水容器内の水をクリーニングブラシ洗濯室内に押し込む。
【０００８】
さらに、貯水室またはクリーニングブラシ洗濯室の給水口は、第１上部カバーを備え、クリーニングブラシは、ブラシ本体とブラシ本体に配置された複数のクリーニングヘッドとハンドルとを備え、ハンドルは、第１上部カバーから外に延びた位置に置かれることが可能に構成されている。
【０００９】
さらに、ブラシ本体は、矩形板状の物体で、その両側にクリーニングヘッドが配置される。洗濯脱水装置は、２つの円筒形の第１ローラを含む。貯水室またはクリーニングブラシ洗濯室は、側壁にブラシ本体の幅方向に２つの向かい合って配置された第１ローラ軸を備える。第１ローラは、第１ローラ軸上にスリーブ状に被せられる。クリーニングブラシは、２つの第１ローラの間に置かれる。ブラシ本体から第１ローラまでの間隔は、クリーニングヘッドの長さより短い。
【００１０】
さらに、ブラシ本体は円筒形であり、クリーニングヘッドはブラシ本体に沿って軸方向に均等に配置される。洗濯脱水装置は、第２ローラと第３ローラとを備え、第２ローラと第３ローラは、半円を母線とする半円筒形であり、貯水室またはクリーニングブラシ洗濯室の側壁に固定された第２ローラ軸および第３ローラ軸にスリーブ状に被せられる。第２ローラと第３ローラは、円形貫通スロットに組み立てられ、円形貫通スロットの内部には、クリーニングブラシが収容され、円形貫通スロットの直径は、ブラシ本体の直径より大きく、クリーニングブラシの外径より小さい。
【００１１】
さらに、貯水チャンバは、その両側に接続される運搬用ハンドルを備える。
【００１２】
さらに、貯水容器は、給水口の上に第２上部カバーを備え、圧縮空気装置は、第２上部カバーを長手方向に突き抜け、一体に組み立てられる。第２上部カバーは、取外し可能に、また密封するように、貯水容器の上部と接続される。
【００１３】
さらに、圧縮空気装置は、貯水容器内に配置された空気容器と、第２上部カバー上に配置された把手と、ピストンロッドと、ピストンと、を備え、ピストンロッドは一端で把手と接続され、他端でピストンと接続され、ピストンは空気容器内に配置される。
【００１４】
さらに、貯水容器は上部に握り部分も備える。
【発明の効果】
【００１５】
先行技術と比較すると、本発明は以下の利点を有する。
１．本発明の技術的な解決では、本クリーニング装置は、構造的に単純であり、持ち運びが便利で、車内での使用に適する。そこに備えられるクリーニングブラシ洗濯室は、貯水するのに用いられ、水が手に入りにくい場合にも自動車のクリーニングを可能にし、クリーニング装置に貯留される水を繰り返し使用することが可能で、優れた水の節約効果がある。
２．本発明の技術的な解決では、洗濯脱水装置は、クリーニングブラシ洗濯室または貯水室に配置され、洗濯脱水装置は、２つの向かい合って配置されたローラを含んで作られる。クリーニングブラシが２つのローラの間で上下に引っ張られる間に、ローラがクリーニングと脱水のためクリーニングブラシのクリーニングヘッドを絞り、クリーニングブラシでの自動車のクリーニングを容易にし、便利で速く、クリーニングの効率を向上する。
３．本発明のさらなる技術的な解決では、水管がクリーニングブラシ洗濯室と貯水容器の間に配置される。クリーニングブラシ洗濯室の水が汚れていると、給水口を通じて注ぎ出され、その後貯水容器のきれいな水が圧縮空気装置によってクリーニングブラシ洗濯室に押し込まれ使用され、各貯水室にクリーニング脱水装置を備える必要がなく、よって、本クリーニング装置の構造を単純化する。
【００１６】
本発明の例としての技術的解決をより明確に説明するために、実施例で用いられるべき図面を以下に簡単に説明する。以下の図面は、本発明のいくつかの実施例に過ぎない。当業者にとっては、これらの図面に基づいて努力をすることなしに他の図面を得ることもできる。
【図面の簡単な説明】
【００１７】
【図１】本発明の自動車用ポータブルクリーニング装置の第一例の概略構造図である。
【図２】図１の線Ａ−Ａに沿った断面図である。
【図３】図１のクリーニングブラシの概略断面図である。
【図４】本発明の第二例の概略構造図である。
【図５】本発明の第三例の概略構造図である。
【図６】図５の線Ｂ−Ｂに沿った断面図である。
【発明を実施するための形態】
【００１８】
上記の解決を、特定の例を参照して以下にさらに説明する。これらの例が、本発明の範囲を限定することなく、本発明を説明することを意図していることは理解されるべきである。それらの例で用いられる実施の条件は、特定の製造者の条件によりさらに調節可能であり、示唆されていない実施の条件は、通常は普通に行われている実験条件である。
【００１９】
図１〜３は、本発明の自動車用ポータブルクリーニング装置の第一例の概略構造図である。自動車用ポータブルクリーニング装置の第一例は、クリーニングブラシ１と、クリーニングブラシ１を収容するのに用いられる少なくとも２つの貯水室２を備え、図には５つの貯水室２が示される。貯水室２の数は、実際の要求に応じて決められ、本発明においてここで定義されるものではないことを説明しなければならない。クリーニングブラシ１は、ブラシ本体１２と、ブラシ本体１２に配置される複数のクリーニングヘッド１３を備える。５つの貯水室２は仕切り２３を介して連結する。貯水室２は、第１上部カバー２２と共に提供される給水口を有するチャンバである。クリーニングブラシ１の洗濯脱水操作を容易にするため、クリーニングブラシ１は、ハンドル１１を有するブラシ本体１２を備える。ハンドル１１は第１上部カバー２２から外に延びる。
【００２０】
貯水室２は、内部に少なくとも１つの洗濯脱水装置２１を備える。クリーニングブラシ１の洗濯脱水効果を向上するために、洗濯脱水装置２１の数は実際の要求に応じて決められる。この例の貯水室２では、内部に２つの洗濯脱水装置２１が上下方向に提供される。
【００２１】
図３に示すように、この例でのクリーニングブラシ１のブラシ本体１２は、円筒形であり、クリーニングヘッド１３は、ブラシ本体１２に沿って軸方向に均等に配置される。貯水室２の洗濯脱水装置２１はクリーニングブラシ１の形状に応じて決めら、半円を母線とする半円筒形であり、貯水室２の側壁に固定された第２ローラ軸２１３と第３ローラ軸２１４にスリーブ状に被せられる第２ローラ２１１と第３ローラ２１２とを備える。第２ローラ２１１と第３ローラ２１２は、円形貫通スロットに一体化することが可能で、円形貫通スロットの直径は、クリーニングブラシ１のブラシ本体１２の直径より大きく、クリーニングブラシ１の外径より小さい。クリーニングブラシ１の外径は、本書では、ブラシ本体１２に向かい合って配置された２つのクリーニングヘッド１３の間の最長間隔として参照される。クリーニングブラシ１を円形貫通スロットに挿入し、それを上下および前後に引っ張る過程では、第２ローラ２１１と第３ローラ２１２は、第２ローラ軸２１３と第３ローラ軸２１４に沿って回転し、クリーニングヘッド１３に対し絞り効果を生み出し、よって、下部に配置された洗濯脱水装置２１はクリーニングブラシ１を十分に洗濯し、上部に配置された洗濯脱水装置２１は選択されたクリーニングブラシ１を脱水し、その後に続く自動車のクリーニングを容易にする。
【００２２】
この自動車用クリーニング装置の移動を容易にするため、貯水チャンバの両側に接続される運搬用ハンドル３が備えられ、ユーザがこの自動車用クリーニング装置を移動するのに便利である。
【００２３】
図４に示すように、自動車用クリーニング装置の構造を単純化するために、本発明の第２例として、よりコンパクトで便利で速いクリーニング装置が提供される。そのクリーニング装置は、クリーニングブラシ１、クリーニングブラシ洗濯室４、仕切り２３を介してクリーニングブラシ洗濯室４と接続された貯水容器５を備え、クリーニングブラシ洗濯室４と貯水容器５はそれぞれ給水口を有するチャンバである。ここで、貯水容器５の給水口は密封され、クリーニングブラシ洗濯室４は第１水管５５を通じて貯水容器５に連結され、内部に少なくとも１つの洗濯脱水装置２１を備える。この例では、上下に２つの洗濯脱水装置２１が提供される。貯水容器５にはさらに、圧縮空気装置と第２水管５４を備える。第２水管５４の給水口は、貯水容器５の底にできるだけ近づけて配置される。第２水管５４は、スイッチ５６を介して第１水管５５に接続される。クリーニングブラシ洗濯室４の汚れた水が排出された後に、スイッチ５６は開かれ、貯水容器５のきれいな水が第２水管５４と第１水管５５を通じてクリーニングブラシ洗濯室４に圧縮空気装置により押し込まれる。
【００２４】
具体的に、貯水容器５には給水口の上に第２上部カバー５１を備え、圧縮空気装置は第２上部カバー５１を長手方向に貫通し、第２上部カバー５１と一体に組み立てられる。貯水容器５が通常通りに満水のとき、第２上部カバー５１と貯水容器５の上部は密封して連結される。貯水容器に水を足さなければならないときに、第２上部カバー５１は外すことができる。
【００２５】
圧縮空気装置は、空気容器５２と、把手５３と、ピストンロッドとピストンとを備え、空気容器５２は貯水容器５内に配置され、把手５３は第２上部カバー５１上に配置され、ピストンは空気容器５１内に配置され、ピストンロッドは一端が把手５３と他端がピストンと接続され、よって空気圧が、把手５３を押しさらにピストンを空気容器５２に押し込めることにより貯水容器５内に作用する。これにより、貯水容器５内のきれいな水は、空気圧の作用によりクリーニングブラシ洗濯室４内に押し込められる。
【００２６】
この自動車用クリーニング装置を移動するのを容易にするため、貯水容器５は上部に握り部分５７を備える。
【００２７】
この例では、クリーニングブラシ１のブラシ本体１２は円筒形であり、クリーニングヘッド１３はブラシ本体１２に沿って軸方向に均等に配置される。クリーニングブラシ洗濯室４の洗濯脱水装置２１は、クリーニングブラシ１の形状に応じて決められ、半円を母線とする半円筒形であり、クリーニングブラシ洗濯室４の側壁に固定された第２ローラ軸２１３と第３ローラ軸２１４にスリーブ状に被せられる第２ローラ２１１と第３ローラ２１２とを備える。第２ローラ２１１と第３ローラ２１２は、円形貫通スロットに組み立てられ、円形貫通スロットの直径は、クリーニングブラシ１のブラシ本体１２の直径より大きく、クリーニングブラシ１の外径より小さく、クリーニングブラシ１の外径は、ここでは、ブラシ本体１２上に向かい合って配置された２つのクリーニングヘッド１３の間の最長間隔として参照される。クリーニングブラシ１を円形貫通スロットに挿入し、上下及び前後に引張るプロセスにおいて、第２ローラ２１１と第３ローラ２１２は、第２ローラ軸２１３と第３ローラ軸２１４に沿って回転し、クリーニングヘッド１３を搾る効果を生み出す。よって、底部に位置する洗濯脱水装置２１はクリーニングブラシ１を充分に洗濯し、上部に位置する洗濯脱水装置２１は選択されたクリーニングブラシ１を脱水し、続く自動車のクリーニングを容易にする。
【００２８】
図５−６に示すように、異なった形状のクリーニングブラシの使用を容易にするため、本発明の第三例は、次の事項を除いて第二例と全く同じである。この例では、クリーニングブラシ１のブラシ本体１２は矩形板状の物体である。クリーニングヘッド１３は、ブラシ本体１２の両側に配置され、クリーニングブラシ洗濯室４にはブラシ本体１２の幅方向に少なくとも１つの洗濯脱水装置２１を備える。この例では、クリーニングブラシ洗濯室４には中央の側壁に１セットの第１ローラ軸２１５を備える。２つの第１ローラ軸２１５は、平行に向かい合って配置される。第１ローラ２１６は第１ローラ軸２１５にスリーブ状に被せられ、洗濯脱水装置２１として用いられる。クリーニングブラシ１はこれらの２つの第１ローラ軸２１５の間に置かれ、ブラシ本体１２と第１ローラ２１６の間の間隔はクリーニングヘッド１３の長さより短い。第１ローラ２１６は円筒形をしており、クリーニングブラシ１はクリーニングブラシ洗濯室４内に置かれて上下及び前後に引張ることができる。２つの第１ローラ２１６はクリーニングヘッド１３を押す効果を生み出し、よって、クリーニングヘッド１３をクリーニングして脱水する。
【００２９】
第三例の洗濯脱水装置は、必要に応じて第一例の貯水室に配置し、異なる形状のクリーニングブラシの適用を容易にすることができるのは確かである。
【００３０】
上述の例は、本発明の技術的概念と特徴を説明するためだけに用いられる。これらの例は、当業者が本発明を理解し、実施できるようにするために提供されたもので、本発明の保護範囲を限定するものではない。本発明の本質的な思想にしたがってなされた均等な代替や変更は、本発明の保護範囲内とすべきである。
【符号の説明】
【００３１】
１．      クリーニングブラシ
１１．    ハンドル
１２．    ブラシ本体
１３．    クリーニングヘッド
２．      貯水室
２１．    洗濯脱水装置
２１１．  第２ローラ
２１２．  第３ローラ
２１３．  第２ローラ軸
２１４．  第３ローラ軸
２１５．  第１ローラ軸
２１６．  第１ローラ
２２．    第１上部カバー
２３．    仕切り
３．      運搬用ハンドル
４．      クリーニングブラシ洗濯室
５．      貯水容器
５１．    第２上部カバー
５２．    空気容器
５３．    把手
５４．    第２水管
５５．    第１水管
５６．    スイッチ
５７．    握り部分
【図１】
0005988280.tif 000002
【図２】
0005988280.tif 000003
【図３】
0005988280.tif 000004
【図４】
0005988280.tif 000005
【図５】
0005988280.tif 000006
【図６】
0005988280.tif 000007